(57)【要約】【課題】従来の生体信号検出装置の構成では、凹凸部材全体の振動の大きさに起因するものであるが、振動が小さい場合、検出能力が不十分になってしまうという課題があった。【解決手段】生体の発生した圧力変動を検知する可撓性を持つ感圧手段８と、感圧手段８と交差するよう配置された複数の凹凸５を有する押圧部材６を有し、少なくとも感圧手段８を重ねて配置し、感圧手段８が押圧部材６の凹凸５により押圧変形される構成としたことで、重ねられた感圧手段８には、押圧部材６に配された凹凸５の一つに対し、重ねた回数に応じ変形作用が重複して一度に加わるためより大きな出力が得られる、かつ重ねることにより設置面積を小さくすることができ、よりコンパクトな生体信号検出装置を提供することが出来る。【選択図】図４
2008142437.tif 000002
【特許請求の範囲】
【請求項１】
生体の発生した圧力変動を検知する可撓性を持つ感圧手段と、前記感圧手段と交差するよう配置された複数の凹凸を有する押圧部材を有し、少なくとも前記感圧手段を重ねて配置し、前期感圧手段が前記押圧部材の凹凸により押圧変形される構成とした生体信号検出装置。
【請求項２】
単一の感圧手段を重ねて配置した構成とする請求項１に記載の生体信号検出装置。
【請求項３】
複数の感圧手段を重ねて配置した構成とする請求項１に記載の生体信号検出装置。
【請求項４】
押圧部材は、両面に凹凸を持つ構成とし、前記押圧部材は複数重ね、前記押圧部材の間に感圧手段をはさむように設置され、前記押圧部材は上の押圧部材の凸部が下の押圧部材の凹部に対向するように凹凸を配するよう構成した請求項１〜３のいずれか１項に記載の生体信号検出装置。
【請求項５】
複数の押圧部材は板材で構成され、複数の凹凸を有した板材で構成された請求項４に記載の生体信号検出装置。
【請求項６】
同一の凹凸形状を有する押圧部材を複数重ねて用いる構成とした請求項４または５に記載の生体信号検出装置。
【請求項７】
感圧手段は弾性部材に支持される構成とした請求項１〜６のいずれか１項に記載の生体信号検出装置。
【請求項８】
感圧手段はケーブル状圧電センサである請求項１〜７のいずれか１項に記載の生体信号検出装置。
【発明の詳細な説明】
【技術分野】
【０００１】
本発明は、ベッド等の寝具に設置し、心拍などの信号を検出する生体信号検出装置に関するものである。
【背景技術】
【０００２】
従来、この種の生体信号検出装置は、寝具や椅子など生体の荷重の掛かる製品に設置するもので、検出感度を向上させるため、生体信号検出手段と凹凸部材を組み合わせた構造を持つものがある（例えば特許文献１参照）。
【０００３】
図１２は特許文献１に記載された従来の別の生体信号検出装置の検出部の構成図である。図１２において、従来の生体信号検出装置１は、信号を検出する光ファイバー２（本発明の感圧手段に相当する）を凹凸部材３ａ、３ｂ（本発明の複数の凸部を有する板状部材に相当）にはさみ、生体からの振動が加わったときに光ファイバー２を変形させて大きな信号を得る構成である。
【特許文献１】特開平８−０００５８４号公報
【発明の開示】
【発明が解決しようとする課題】
【０００４】
しかしながら、前記従来の構成では、光ファイバー６の変形は凹凸部材３ａ、３ｂ全体の振動の大きさに起因するものであるが、振動が小さい場合、検出能力が不十分になってしまうという課題がある。
【０００５】
本発明は、前記従来の課題を解決するもので、感度の高い生体信号検出装置を提供することを目的とする。
【課題を解決するための手段】
【０００６】
前記従来の課題を解決するために、本発明の生体信号検出装置は、生体の発生した圧力変動を検知する可撓性を持つ感圧手段と、前記感圧手段と交差するよう配置された複数の凹凸を有する押圧部材を有し、少なくとも前記感圧手段を重ねて配置し、前期感圧手段が前記押圧部材の凹凸により押圧変形される構成とした。そのため、重ねられた感圧手段には、押圧部材に配された凹凸の一つに対し、重ねた回数に応じ変形作用が重複して一度に加わるため、小さな変形作用でもより大きな出力が得られる。
【０００７】
また重ねることにより設置面積を小さくしても大きな出力が得られるため、よりコンパクトな生体信号検出装置を提供することが出来る。
【発明の効果】
【０００８】
本発明の生体信号検出装置は、高い感度で生体から発生する振動信号を検出できる物を提供することができる。
【発明を実施するための最良の形態】
【０００９】
第１の発明は、生体の発生した圧力変動を検知する可撓性を持つ感圧手段と、前記感圧手段と交差するよう配置された複数の凹凸部を有する押圧部材を有し、少なくとも前記感圧手段を重ねて配置し、前期感圧手段が前記押圧部材の凹凸部により押圧変形される構成とすることで、重ねられた感圧手段には、押圧部材に配された凹凸の一つに対し、圧電センサを重ねた回数に応じ変形作用が重複して一度に加わるため、小さな変形作用でも大きな出力が得られ、また重ねることにより設置面積を小さくすることができ、よりコンパク
トな生体信号検出装置を提供することが出来る。
【００１０】
第２の発明は、特に第１の発明において、単一の感圧手段を重ねて配置したので、構成より簡単な構成で高い出力を持つ生体信号検出装置を提供することが出来る。
【００１１】
第３の発明は、特に第１の発明において、複数の感圧手段を重ねて配置した構成としたので、より簡単な構成で高い出力を持つ生体信号検出装置を提供することが出来る。
【００１２】
第４の発明は、特に第１から第３のいずれか１つの発明において、押圧部材は、両面に凹凸を持つ構成とし、前記押圧部材は複数重ね、前記押圧部材の間に感圧手段をはさむように設置され、前記押圧部材は上の押圧部材の凸部が下の押圧部材の凹部に対向するように凹凸を配するよう構成したので、感圧手段の上部の凹凸による押圧により感圧手段の下部の凹凸に入り込むことで感圧手段により大きい変形作用を及ぼすため高い感度の生体信号検出装置を提供することが出来る。
【００１３】
第５の発明は、特に第４の発明において、複数の押圧部材は、複数の凹凸を有した板材で構成したので、板材自体が撓み変形を起こし、より高い出力をもつ生体信号検出装置を提供することが出来る。
【００１４】
第６の発明は、特に第４または第５の発明において、同一の凹凸形状を有する押圧部材を複数重ねて用いる構成としたので、組み立てる時や修繕のための分解組立ての作業時に組立て順に気を配ることなく作業が出来るため、生産性や作業性の高い生体信号検出装置を提供することが出来る。
【００１５】
第７の発明は、特に第１から第６のいずれか１つの発明において、感圧手段は弾性部材に支持される構成としたので、押圧部材の凹凸による押圧に対し容易に陥入変形を起こし、押圧がなくなったときに容易にもとの形状に復元することが出来るため、感度の高い生体信号検出装置を提供することが出来る。
【００１６】
第８の発明は、特に第１から第７のいずれか１つの発明において、感圧手段はケーブル状圧電センサとしたので、検出した生体信号を伝達する中心電極に対し外部電極がシールドの役を果たし外来電磁波ノイズの影響を受けにくい物となる。よって、生体信号の収集や処理のために近くで電子機器を用いたり、携帯電話などの通信機器等を近くで使用したりしてもノイズが重畳することの少ない信頼性の高い生体信号検出装置を提供することができる。
【００１７】
以下、本発明の実施の形態について、図面を参照しながら説明する。なお、この実施の形態によって本発明が限定されるものではない。
【００１８】
（実施の形態１）
図１は生体荷重のかかっていない場合の生体信号検出装置の側面図、図２は生体信号検出装置の平面部分断面図、図３は、本発明の第１の実施の形態における生体信号検出装置が設置されたベッド（就寝装置）の構成図、図４は生体信号検出装置が設置されたベッドの断面図である。また、図５は感圧手段１の断面図、図７は生体信号検出装置のブロック図である。なお、各図において、作用を明確にするために生体信号検出装置の横方向に対して厚さ方向を拡大表現しており縮尺が必ずしも等しくないことを記しておく。
【００１９】
図１及び図２において、生体信号検出装置４は、複数の、平行でほぼ等間隔の凹凸５を有する金属板よりなる４枚の押圧板（押圧部材）６ａ、６ｂ、６ｃ、６ｄと、金属よりなるベース部材７と可撓性を有する感圧手段８と、感圧手段８を保持するスポンジやゴムな
どの弾性部材からなる支持体９からなる。これらの配置は下から、ベース部材７、押圧板６ｄ、６ｃ、６ｂ、６ａの順に重ねて配置され、感圧手段８とそれを保持した支持体９は、押圧板６ｄと押圧板６ｃの間、押圧板６ｃと押圧板６ｂの間、押圧板６ｂと押圧板６ａの間に固定配置する。図１では生体信号検出装置４には荷重かかかっていないので、感圧手段８は変形していない。
【００２０】
このとき、感圧手段としては１本のケーブル状の圧電センサ８を用い、図１に示すように押圧板６ａ、６ｂの端部で折り返し配置される。
【００２１】
また図２は押圧板６ａを部分的に透視した平面図であるが、この図に示すように押圧板６ｂの上に配置された圧電センサ８は、押圧板６ｂの左端に設けられた穴１０を通し、折り返して押圧板６ｂの下部に設置されている押圧板６ｃへ配置される。
【００２２】
このとき圧電センサ８が使用中に移動してしまわないように支持体９には溝が彫ってあり、その溝にはめ込むことにより圧電センサ８が保持される。押圧板６ａ、６ｂ、６ｃ、６ｄの凹凸５は、例えばプレス加工などにより金属板を曲げることで形成されている。そのため、押圧板６ａ、６ｂ、６ｃ、６ｄの下面の凹凸５は、上面から見ても凹凸５を有する事になる。そして、押圧板６ａ、６ｂ、６ｃ、６ｄの凹凸５は生体信号検出装置４として重ねて設置したときに、同じ位置になるように配置されている。
【００２３】
そしてこの例では凹凸５と圧電センサ８とは約９０度の角度において複数の点で交差する。また、凹凸５は生体が就寝した際に、生体の身長方向と平行になるような方向に形成されている。
【００２４】
また、圧電センサ８の一端には圧電センサ８からの出力信号を処理する制御ユニット１１が接続されている。
【００２５】
以下に生体信号検出装置４の動作作用を説明する。図３、図４においてベッド１２の床板１３の上に生体信号検出装置４が配置され、その上にマットレス１４を配しさらにその上に生体である人体１５が就寝している。このとき、人体１５からの振動はマットレス１４を介して伝わり生体信号検出装置４に達する。そのとき圧電センサ８には押圧板６ａ、６ｂ、６ｃの凹凸５の断面形状に沿って支持体９とともにその下面に設置されている押圧板６ｂ、６ｃ、６ｄの凹凸５の窪みに入り込むことで圧電センサ８に大きな曲げ作用が加わり大きな信号出力が発生する。特に平面図で見た一つの凹凸５部分に対し圧電センサ８を重ねた回数に応じ変形作用が重複して一度に加わるため、小さな変形作用でも大きな出力が得られる。
【００２６】
また荷重や振動がない場合は、支持体９はその弾性の復元力のため圧電センサ８とともに元の形状に復元する。また、凹凸５は板状の押圧板６ａ、６ｂ、６ｃ、６ｄに配されているので板自体が撓み変形を起こし、局所的、例えばこの例ではマットレス１４の中央の荷重や振動によって、マットレス１４の中央部分においてより大きな変形を起こし大きな振動信号として検出することが出来る。
【００２７】
実験において、直径約２．５ｍｍの圧電センサ８を用い、押圧板６ａ、６ｂ、６ｃ、６ｄ、として厚さ０．８ｍｍの金属板に高さ約１０ｍｍの凹凸５を３０〜１００ｍｍ間隔で複数配置することで、良好な結果を得ることができた。
【００２８】
また生体信号検出装置４の設置領域について説明すると、幅方向寸法は、成人の標準体型をもとに、人体１５の肩幅より大きく床板１３の幅より小さい値にしてある。そして、縦方向寸法は、使用を前提とする成人の頭部から胸部の少なくとも一部が掛かるような大
きさとしている。そして、このような大きさにすることで、生体信号検出装置４は人体１５の就寝位置が寝返りなどでずれても生体１４からの振動が伝達され得る領域に配設されているので、十分に生体から発生する振動を検知することができる。
【００２９】
また、圧電センサ８を重ねて配置することになるためより狭い設置面積で多数の押圧変形部分を持たせることが出来るので、コンパクトで高感度な生体信号検出装置４を提供することが出来る。
【００３０】
押圧板６ａ、６ｂ、６ｃ、６ｄとベース部材７は両端においてネジ１６などにより固定される。
【００３１】
また、本発明の生体信号検出装置４は、ベッド床板１３とマットレス１４の間に設置するため、生体信号検出装置４と人体１５の間にはマットレス１４が介在し、直接接する事が無いため、就寝を阻害しない物とすることができる。
【００３２】
また、本実施の形態において、押圧板６ａ、６ｂ、６ｃ、６ｄを４枚重ね、圧電センサ８は３回重ねて用いる例を示したが、これに限られることは無く、必要な圧電センサ８の出力感度に応じて、重ねる回数を少なくても多くしてもかまわない。
【００３３】
また、生体信号検出装置４の配置場所に関しては本実施の形態に限られることは無く、床もしくは畳と敷布団の間でもかまわない。
【００３４】
なお、この例ではベッドなどの就寝具に生体信号検出装置４を設置する例を説明したが、これに限られることは無く、椅子や座布団などに設置して用いてもかまわない。すなわち、人体荷重を継続的に受ける生活用品であれば、本実施の形態のよう生体信号を検出することが可能となる。その場合、本実施の形態の生体信号検出装置４を、例えば椅子の座面とクッションの間、畳と座布団の間に設置する。
【００３５】
また、本実施例において生体信号検出装置４の強度確保のためベース部材７を配置したが、押圧板６ａ、６ｂ、６ｃ、６ｄのみで充分な強度を実現できればベース部材７は省略してかまわない。
【００３６】
また、支持体９と圧電センサ８は、はめ込みによる固定としたが、接着剤や粘着テープにより固定しても良い。
【００３７】
また、支持体９は、単一の支持体９に圧電センサ８を固定しても良いし、支持体９を複数に分割し押圧板６ａ、６ｂ、６ｃ、６ｄの各段に配置しても効果作用に違いはない。
【００３８】
また、凹凸５の高さや配置間隔もこの例は１例であり発明の効果がこれに限定されるものではない。さらに、本実施の形態では凹凸５は、就寝した生体１５の身長方向に平行になる方向に配置したが、身長方向と直交する方向としてもよく、その場合は圧電センサ８もそれにあわせて凹凸５と直交するように配置される。以下に本発明の生体信号検出装置４に用いる圧電センサ８について説明する。
【００３９】
図５において、圧電センサ８は内側電極として導体からなる中心電極８０１、感圧部材である圧電体層８０２、導体からなる外側電極８０３、弾性体からなる被覆層８０４を備えている。圧電体層８０２はポリフッ化ビニリデン等の樹脂系の高分子圧電体や、特定の樹脂基材中に圧電セラミックスの粉体を混合した複合圧電体を用いることができる。そして外側電極８０３は内側電極８０１と圧電体層８０２を囲うように配置されており、圧電センサ８は同軸ケーブル状となるため信号を伝達する中心電極８０１に対し外部電極８０
３がシールドの役を果たし外来電磁波ノイズの影響を受けにくい物となる。よって、生体信号の収集や処理するために電子機器を近くで使用したり、携帯電話などの通信機器等を近くで使用したりしても圧電センサ１にノイズが重畳することの少ない信頼性の高い生体信号検出装置４を提供することができる。
【００４０】
なお、内側電極と外側電極を持つケーブル状の感圧手段として同軸ケーブル状の圧電センサ１を例として示したが、本発明はこれに限られることは無く、中心導体が複数あるケーブル、中心導体が外側電極の中心から偏心しているケーブル、断面形状が円形ではないケーブルなどを用いても同様の効果がある。
【００４１】
次に、圧電センサ１８出力信号の処理例と、人体１５からの生体信号の検出作用を説明する。図６は本発明の第１の実施の形態における生体信号検出装置４のブロック図である。図６において、制御ユニット１１は、検出手段１６、判定手段１７、報知手段１８を備えている。検出手段１６は、圧電センサ８からの出力信号を所定の濾波特性で濾波し、かつ、所定の増幅度で増幅を行うフィルタ部１９と、フィルタ部１９の出力信号を予め設定された設定値と比較を行うコンパレータ部２０とを備えている。フィルタ部１９の濾波特性としては、例えばノイズとして信号に重畳しやすい商用電源周波数は５０Ｈｚおよび６０Ｈｚであるが、生体１４の信号、例えば心拍などは１Ｈｚ前後、呼吸などは０．１Ｈｚ前後、体動などは数Ｈｚの範囲なので、濾波特性としては例えば、０．０５Ｈｚ〜２０Ｈｚの信号成分を通過させるバンドパスフィルタとする。
【００４２】
以上のように構成された生体信号検出装置４について、以下その動作、作用を特に心拍を検出する場合について図７に基づいて説明する。
【００４３】
図７は人体１５の心拍に由来する振動が圧電センサ８に加わったときの圧電センサ８の出力に対応するフィルタ部１９の出力信号Ｖとコンパレータ部２０の出力信号Ｊの経時変化を示す特性図である。
【００４４】
まず、図４のように、ベッドの上に人体１５が横たわると、人体１５からの体重などの圧力や心拍等の振動等がマットレス１４を介して圧電センサ８に印加される。このとき圧電センサ８は変形し、圧電効果により圧電センサ８の変形の加速度に応じた信号が出力される。そのため、変動の無い体重による圧力等は検出されず変動のある振動成分のみが検出され、例えば体の動きや呼吸、心拍信号等を検出する。このとき特に押圧板６の凹凸５の部分で圧電センサ８の曲げ変形が大きくなりより大きな出力信号が得られる。そして、圧電センサ８の出力信号は、フィルタ部１９により心拍などの人体１５からの振動の接触時の周波数帯域である０．０５〜２０Ｈｚの信号を通過させ、他の周波数帯の信号は除去される。心拍振動の検出時には、Ｖに基準電位Ｖ０より大きな信号成分が現れる。そして変形量の２次微分値である加速度も大きくなり、結果として圧電センサの出力信号も大きくなる。コンパレータ部２０はＶのＶ０からの振幅｜Ｖ−Ｖ０｜がＤ０より大ならば心拍振動を検出した判定し、時刻ｔ１で判定出力としてＬｏ→Ｈｉ→Ｌｏのバルス信号を出力する。
【００４５】
上述したように、コンパレータ部２０から出力された信号が判定手段１７に入力され例えば心拍信号の周期Δｔより心拍周期つまり心拍数がわかり、報知手段１８により心拍数を表示したり音声により報知したりすることができる。
【００４６】
（実施の形態２）
本発明の第２の実施の形態における生体信号検出装置について図８を用いて説明する。
【００４７】
第１の実施の形態との違いは、生体信号検出装置４の押圧板２１ａ、２１ｂ、２１ｃ、
２１ｄをまったく同一の形状とした点である。実施の形態１と同一符号の物は同様の動作、作用、効果を示し説明を省略する。
【００４８】
以上のような構成により、組み立てるときまた修繕のための分解組立ての作業時に組立て順に気を配ることなく作業が出来るため、生産性や作業性の高い生体信号検出装置４を提供することが出来る。また、同一形状の押し圧板を用いれば、必要な圧電センサ８の出力に応じて簡単に押圧板の枚数を増減させることが出来る。
【００４９】
このときも押圧板２１ａ、２１ｂ、２１ｃ、２１ｄとベース部材７はネジ１５で固定されるが、押圧板２１ａ、２１ｂ、２１ｃ、２１ｄの間に適宜スペーサを配置してもよい。
【００５０】
また図９に示すように、押圧部材として板材ではなく樹脂のような物で出来たブロックを用いてもよい。このブロック２２ａ、２２ｂ、２２ｃ、２２ｄは、４つとも同一形状で下面に凹凸５、上面に凹部２３を設けており、凹凸５の真上に凹凸２３を有するよう設計されている。このような構造とすることで、本実施の形態と同様の作用効果が得られる。
【００５１】
（実施の形態３）
本発明の第３の実施の形態における生体信号検出装置について図１０を用いて説明する。
【００５２】
第１および第２の実施の形態との違いは、複数の凸部を有する板状部材として３枚の波板２４ａ、２４ｂ、２４ｃ、２４ｄを用い、また圧電センサ８を保持する弾性部材を配置しない点である。この波板２４ａ、２４ｂ、２４ｃ、２４ｄは例えば、壁や屋根などに使用する建材として入手が可能な金属やプラスチック製の波板などを用いることが出来る。本実施例ではプラスチック製の波ピッチ約３２ｍｍ、波の振幅約９ｍｍのものを使用したときの例を示す。但し、ピッチや振幅はこれに限られるものではない。
【００５３】
本実施の形態の構成について説明すると、図１０に示すように、生体信号検出装置４は、支持体７の上に設置された圧電センサ８と支持体９の上に波板２４ａ、２４ｂ、２４ｃ、２４ｄ固定配置し、その波板２４ａ、２４ｂ、２４ｃ、２４ｄが圧電センサ８を押圧するようにする。このとき波板２４ａ、２４ｂ、２４ｃ、２４ｄの両端部を接合部としネジ１５等で固定する。
【００５４】
また、このとき圧電センサ８自身の弾性により、荷重や振動がない場合には元の形状に復元する。
【００５５】
これにより、一般に入手可能な建材を使用するため構成の簡略化を図ることが出来る。
【００５６】
（実施の形態４）
本発明の第４の実施の形態における生体信号検出装置について図１１を用いて説明する。
【００５７】
第１から第３の実施の形態との違いは、生体信号検出装置２５に複数の凹凸５を有する１枚の板状部材２６を押圧板として配置し、なおかつ、独立した複数枚例えば３枚のＰＶＤＦ等の圧電材質によるフィルム状の圧電シート２７ａ、２７ｂ、２７ｃを重ねて一枚の支持体９の上に配置し、圧電シート２７ａ、２７ｂ、２７ｃの個々の出力は制御ユニット１１において加算される点である。
【００５８】
本実施の形態の構成について説明すると、図１１に示すように、生体信号検出装置２５は、ベース部材７とその上に３枚の圧電シート２７ａ、２７ｂ、２７ｃを重ねて配置した
スポンジのような弾性部材からなる支持体９とその上に重なるように設置された１枚の押圧板２６からなり、押圧板２６の両端はベース部材７にネジ１５で固定されている。
【００５９】
このような構成とすることで、マットレス１４を介して伝わる人体１５からの振動により押圧板２６の凹凸５の形状に沿って圧電シート２７ａ、２７ｂ、２７ｃがスポンジからなる支持体９に陥入するように変形する。このとき押圧板２６の一つの凹凸５に対して重ねられた圧電シートの枚数分加算された大きな出力が得られるため、より感度の高い生体信号検出装置２５を提供することが出来る。
【００６０】
なお、実施の形態１から３では感圧手段としてケーブル状の圧電センサ８を用いたが、他の形態の圧電センサでもよく感圧手段として例えば第４の実施の形態で用いたＰＶＤＦ薄膜の両面を電極で挟んだフィルム状またはリボン状の圧電センサを用いても同様の効果が得られる。
【００６１】
なお、実施の形態１から４では感圧手段として圧電センサ８を用いた構成であったが、感圧手段に、押圧変形に感応して透過光が変調する特性を持つ光ファイバを用いても同様の効果がある。
【産業上の利用可能性】
【００６２】
以上のように、本発明にかかる生体信号検出装置は、圧電センサに複数の凸部を有する板状部材を配置したので、感度よく生体信号を検出することが出来、上記のように簡単にベッドに設置して生体信号の取得に活用できるとともに、例えば、マッサージチェアのようなリラクゼーション機器、自動車用座席、娯楽施設の座席等に設置して、生体信号を検出するシステムとしても適用できる。また、ペット用マット等人体に限らず動物の生体信号を検出する用途にも応用可能である。
【図面の簡単な説明】
【００６３】
【図１】本発明の実施の形態１における生体信号検出装置の側面断面図
【図２】本発明の実施の形態１における生体信号検出装置の平面断面図
【図３】本発明の実施の形態１における生体信号検出装置を配置したベッドの構成図
【図４】本発明の実施の形態１における生体信号検出装置を配置したベッドの断面図
【図５】本発明の実施の形態１における圧電センサの断面図
【図６】本発明の実施の形態１における生体信号検出装置のブロック図
【図７】本発明の実施の形態１における生体信号検出装置で、人体からの生体信号を受けたときのフィルタ部の出力信号Ｖとコンパレータ部の出力信号Ｊの経時変化を示す特性図
【図８】本発明の実施の形態２における生体信号検出装置を配置したベッドの断面図
【図９】本発明の実施の形態２における別の形態の生体信号検出装置を配置したベッドの断面図
【図１０】本発明の実施の形態３における生体信号検出装置を配置したベッドの断面図
【図１１】本発明の実施の形態４における生体信号検出装置を配置したベッドの断面図
【図１２】従来の生体信号検出装置の構成図
【符号の説明】
【００６４】
４  生体信号検出装置
５  凹凸（押圧部材が有する複数の凹凸）
６ａ、６ｂ、６ｃ、６ｄ  押圧板（複数の凹凸を有する板状の押圧部材）
８  圧電センサ（可撓性を持つ感圧手段）
９  支持体（感圧手段を固定する固定部材としての弾性部材）
２１ａ、２１ｂ、２１ｃ、２１ｄ  押圧板（複数の凹凸を有する同一形状の押圧部材）
２２ａ、２２ｂ、２２ｃ、２２ｄ  ブロック（複数の凹凸を有する同一形状の押圧部材）
２３  凹凸（押圧部材が有する複数の凹凸）
２４ａ、２４ｂ、２４ｃ、２４ｄ  波板（複数の凹凸を有する同一形状の押圧部材）
２５  生体信号検出装置
２７ａ、２７ｂ、２７ｃ  圧電シート（可撓性を持つ複数の感圧手段）
【図１】
2008142437.tif 000003
【図２】
2008142437.tif 000004
【図３】
2008142437.tif 000005
【図５】
2008142437.tif 000006
【図６】
2008142437.tif 000007
【図７】
2008142437.tif 000008
【図１２】
2008142437.tif 000009
【図４】
2008142437.tif 000010
【図８】
2008142437.tif 000011
【図９】
2008142437.tif 000012
【図１０】
2008142437.tif 000013
【図１１】
2008142437.tif 000014